(57)【要約】【課題】１フレーム信号の終了後にダミーゲート信号とダミーデータ信号を印加して画素キャパシタ内の残留電荷を放電させることにより、残像現象を改善することのできる表示装置及びその駆動方法を提供する。【解決手段】単位画像フレームを表示する複数の画像表示区間中に、複数のゲート線に順次にゲートターンオン（ｇａｔｅ  ｔｕｒｎ  ｏｎ）電圧を印加すると共に、前記複数のゲート線に対応する複数のデータ線に複数のデータ信号を順次に印加する段階と、前記画像表示区間の間に設けられた垂直空白区間中に、前記複数のゲート線に前記ゲートターンオン電圧を印加すると共に、前記複数のデータ線にダミーデータ信号を印加する段階とを有する。【選択図】      図２
2008152227.tif 000002
【特許請求の範囲】
【請求項１】
単位画像フレームを表示する複数の画像表示区間中に、複数のゲート線に順次にゲートターンオン（ｇａｔｅ  ｔｕｒｎ  ｏｎ）電圧を印加すると共に、前記複数のゲート線に対応する複数のデータ線に複数のデータ信号を順次に印加する段階と、
前記画像表示区間の間に設けられた垂直空白区間中に、前記複数のゲート線に前記ゲートターンオン電圧を印加すると共に、前記複数のデータ線にダミーデータ信号を印加する段階とを有することを特徴とする表示装置の駆動方法。
【請求項２】
前記垂直空白区間は、１本のゲート線へのゲートターンオン電圧の供給区間よりも長く、且つ、前記画像表示区間よりも短いことを特徴とする請求項１に記載の表示装置の駆動方法。
【請求項３】
前記画像表示区間は、１秒につき２４〜１２０個存在することを特徴とする請求項１に記載の表示装置の駆動方法。
【請求項４】
前記複数のデータ信号は、反転駆動を行うことを特徴とする請求項１に記載の表示装置の駆動方法。
【請求項５】
前記複数のゲート線の本数が奇数である場合、前記垂直空白区間中に奇数回に亘ってゲートターンオン電圧とダミーデータ信号が印加されることを特徴とする請求項１に記載の表示装置の駆動方法。
【請求項６】
前記複数のゲート線の本数が偶数である場合、前記垂直空白区間中に偶数回に亘ってゲートターンオン電圧とダミーデータ信号が印加されることを特徴とする請求項１に記載の表示装置の駆動方法。
【請求項７】
前記ダミーデータ信号としては、ピクセル階調の最大値又は最小値に相当する信号を使用することを特徴とする請求項１に記載の表示装置の駆動方法。
【請求項８】
前記垂直空白区間中に前記複数のゲート線に同時に前記ゲートターンオン電圧が印加されることを特徴とする請求項１に記載の表示装置の駆動方法。
【請求項９】
複数のゲート線と複数のデータ線とを備える液晶表示パネルと、
前記複数のゲート線に接続され、該複数のゲート線に順次にゲートターンオン電圧を供給するか、或いは、前記複数のゲート線に同時に前記ゲートターンオン電圧を供給するゲート駆動部と、
前記複数のデータ線に接続され、前記複数のゲート線に対応する前記複数のデータ線に複数のデータ信号を供給するか、或いは、前記複数のデータ線にダミーデータ信号を供給するデータ駆動部とを備えることを特徴とする表示装置。
【請求項１０】
前記ゲート駆動部は、前記複数のゲート線に順次に前記ゲートターンオン電圧を供給する複数のステージ部と、
前記複数のステージ部と前記複数のゲート線との間に設けられ、外部より入力された制御信号に基づき、前記ゲート駆動部からのゲートターンオン電圧を前記複数のゲート線に同時に供給する放電制御部とを含むことを特徴とする請求項９に記載の表示装置。
【請求項１１】
前記放電制御部は、前記複数の各ゲート線に接続される複数のＯＲゲート又はＥＸＯＲゲートを備えることを特徴とする請求項１０に記載の表示装置。
【請求項１２】
前記液晶表示パネルは、前記複数のゲート線と複数のデータ線との交差領域に設けられた複数の薄膜トランジスタと、
画素キャパシタ及び維持キャパシタとをさらに含み、
前記画素キャパシタと維持キャパシタの一方の電極端子は前記薄膜トランジスタに接続され、他方の電極端子はそれぞれ共通電源に接続されることを特徴とする請求項９に記載の表示装置。
【発明の詳細な説明】
【技術分野】
【０００１】
本発明は表示装置及びその駆動方法に関し、さらに詳しくは、ストレージキャパシタの残留電荷を放電させて残像不良を防ぐことのできる表示装置及びその駆動方法に関する。
【背景技術】
【０００２】
液晶表示装置は、液晶の両端の電界を可変させて液晶の配向を制御して液晶を透過する光量を調節することにより、画像を表示している。このとき、液晶の両端の電界を一定期間維持させる目的で、ストレージキャパシターが用いられる。
【０００３】
しかしながら、従来の独立配線方式のストレージキャパシタにおいては、キャパシタの一方の端子が共通電源に接続されて用いられるため、ストレージキャパシタに充電されていた残留電荷が容易に放電できずに残留してしまう。このため、このような残留電荷により残像が生じるという問題が発生する。
【発明の開示】
【発明が解決しようとする課題】
【０００４】
そこで、本発明は上記従来の表示装置における問題点に鑑みてなされたものであって、本発明の目的は、１フレーム信号の終了後にダミーゲート信号とダミーデータ信号を印加して画素キャパシタ内の残留電荷を放電させることにより、残像現象を改善することのできる表示装置及びその駆動方法を提供することにある。
【課題を解決するための手段】
【０００５】
上記目的を達成するためになされた本発明による表示装置の駆動方法は、単位画像フレームを表示する複数の画像表示区間中に、複数のゲート線に順次にゲートターンオン（ｇａｔｅ  ｔｕｒｎ  ｏｎ）電圧を印加すると共に、前記複数のゲート線に対応する複数のデータ線に複数のデータ信号を順次に印加する段階と、前記画像表示区間の間に設けられた垂直空白区間中に、前記複数のゲート線に前記ゲートターンオン電圧を印加すると共に、前記複数のデータ線にダミーデータ信号を印加する段階とを有することを特徴とする。
【０００６】
前記垂直空白区間は、１本のゲート線へのゲートターンオン電圧の供給区間よりも長く、且つ、前記画像表示区間よりも短いことが好ましい。
前記画像表示区間は、１秒につき２４〜１２０個存在することが好ましい。
前記複数のデータ信号は、反転駆動を行うことが好ましい。
前記複数のゲート線の本数が奇数である場合、前記垂直空白区間中に奇数回に亘ってゲートターンオン電圧とダミーデータ信号が印加されることが好ましい。
前記複数のゲート線の本数が偶数である場合、前記垂直空白区間中に偶数回に亘ってゲートターンオン電圧とダミーデータ信号が印加されることが好ましい。
前記ダミーデータ信号としては、ピクセル階調の最大値又は最小値に相当する信号を使用することが好ましい。
前記垂直空白区間中に前記複数のゲート線に同時に前記ゲートターンオン電圧が印加されることが好ましい。
【０００７】
上記目的を達成するためになされた本発明による表示装置は、複数のゲート線と複数のデータ線とを備える液晶表示パネルと、前記複数のゲート線に接続され、該複数のゲート線に順次にゲートターンオン電圧を供給するか、或いは、前記複数のゲート線に同時に前記ゲートターンオン電圧を供給するゲート駆動部と、前記複数のデータ線に接続され、前記複数のゲート線に対応する前記複数のデータ線に複数のデータ信号を供給するか、或いは、前記複数のデータ線にダミーデータ信号を供給するデータ駆動部とを備えることを特徴とする。
【０００８】
前記ゲート駆動部は、前記複数のゲート線に順次に前記ゲートターンオン電圧を供給する複数のステージ部と、前記複数のステージ部と前記複数のゲート線との間に設けられ、外部より入力された制御信号に基づき、前記ゲート駆動部からのゲートターンオン電圧を前記複数のゲート線に同時に供給する放電制御部とを含むことが好ましい。
前記放電制御部は、前記複数の各ゲート線に接続される複数のＯＲゲート又はＥＸＯＲゲートを備えることが好ましい。
前記液晶表示パネルは、前記複数のゲート線と複数のデータ線との交差領域に設けられた複数の薄膜トランジスタと、画素キャパシタ及び維持キャパシタとをさらに含み、前記画素キャパシタと維持キャパシタの一方の電極端子は前記薄膜トランジスタに接続され、他方の電極端子はそれぞれ共通電源に接続されることが好ましい。
【発明の効果】
【０００９】
本発明に係る表示装置及びその駆動方法によれば、画像を表示するための画像表示区間の間に垂直空白区間を設け、この垂直空白区間中に全体のゲート線にゲートターンオン電圧を印加し、維持キャパシタの放電のためのダミーデータ信号を印加して、維持キャパシタ内の残留電荷を強制的に放電させることにより、残像現象を改善することができるという効果がある。
【発明を実施するための最良の形態】
【００１０】
次に、本発明に係る表示装置及びその駆動方法を実施するための最良の形態の具体例を図面を参照しながら説明する。
【００１１】
以下、添付図面に基づき、本発明の好適な実施の形態について詳細に説明する。しかし、本発明は後述する実施の形態に限定されるものではなく、相異なる形で実現可能であり、これらの実施の形態は、本発明の開示を完全たるものにし、且つ、この技術分野における通常の知識を有する者に発明の範疇を完全に知らせるために提供されるものである。
【００１２】
図１は、本発明の第１の実施形態による液晶表示装置のブロック概念図であり、図２は、第１の実施形態による液晶表示装置の動作を説明するための信号波形図であり、図３は、第１の実施形態による液晶表示装置のゲート線の本数が奇数の場合による動作を説明するための信号波形図であり、図４は、第１の実施形態による液晶表示装置のゲート線の本数が偶数の場合による動作を説明するための信号波形図である。
【００１３】
図１〜図４を参照すると、本実施形態による液晶表示装置は、液晶表示パネル１００と、ゲート駆動部２００と、データ駆動部３００と、駆動電圧生成部４００及び信号制御部５００を備える。
上記の液晶表示パネル１００は、概ね列方向に延びる複数のゲート線（Ｇ１〜Ｇｎ）及びこれらと直交する行方向に延びる複数のデータ線（Ｄ１〜Ｄｍ）を備える。また、ゲート線（Ｇ１〜Ｇｎ）とデータ線（Ｄ１〜Ｄｍ）との交差領域には、画素が設けられる。
【００１４】
画素は、薄膜トランジスタ（Ｔ）と、維持キャパシタ（Ｃｓｔ）及び画素キャパシタ（Ｃｌｃ）を備える。画素は、赤（Ｒ）、緑（Ｇ）、青（Ｂ）の画素を含み、これらの組み合わせにより総天然色を表示することができる。
この種の液晶表示パネル１００は、薄膜トランジスタ（Ｔ）と、ゲート線（Ｇ１〜Ｇｎ）と、データ線（Ｄ１〜Ｄｍ）と、画素電極及び維持電極が設けられた薄膜トランジスタ基板（図示せず）と、ブラックマトリックス、カラーフィルター、及び共通電極が設けられた共通電極基板（図示せず）とを備え、さらに、薄膜トランジスタ基板と共通電極基板との間には、液晶（図示せず）が設けられる。維持キャパシター（Ｃｓｔ）と画素キャパシタ（Ｃｌｃ）は、画素電極を共有する。
【００１５】
ここで、薄膜トランジスタ（Ｔ）のゲート端子はゲート線（Ｇ１〜Ｇｎ）に接続され、ソース端子はデータ線（Ｄ１〜Ｄｍ）に接続され、そしてドレイン端子は画素電極に接続される。これにより、薄膜トランジスタ（Ｔ）は、ゲート線（Ｇ１〜Ｇｎ）に印加されるゲートターンオン（ｇａｔｅ  ｔｕｒｎ  ｏｎ）電圧により動作して、データ線（Ｄ１〜Ｄｍ）からのデータ信号（すなわち、階調電圧）を画素キャパシタ（Ｃｌｃ）及び維持キャパシタ（Ｃｓｔ）の一方の電極端子として採用される画素電極に供給して、画素キャパシタ（Ｃｌｃ）の両端の電界を変化させる。それによって液晶表示パネル１００の内部の液晶の配列が変更され、バックライトからの光の透過率を調整することができる。画素電極には、液晶の配列方向を調整するためのドメイン規制手段としての多数の切欠及び／または突起パターンが設けられてもよく、共通電極にも突起及び／または切欠パターンが設けられてもよい。この実施形態による液晶は、垂直配向方式により配向されることが好ましい。
【００１６】
上述の如き構造を有する液晶表示パネル１００の外側には、液晶表示パネル１００の駆動のための信号を供給する制御部が設けられる。制御部は、ゲート駆動部２００と、データ駆動部３００と、駆動電圧生成部４００及び信号制御部５００を備える。
ここで、ゲート駆動部２００及び／またはデータ駆動部３００は、液晶表示パネル１００の薄膜トランジスタ基板の上に実装されてもよく、別途のプリント回路基板（Ｐｒｉｎｔｅｄ  Ｃｉｒｃｕｉｔ  Ｂｏａｒｄ；ＰＣＢ）に実装された後、可撓性プリント回路基板（Ｆｌｅｘｉｂｌｅ  Ｐｒｉｎｔｅｄ  Ｃｉｒｃｕｉｔ  Ｂｏａｒｄ；ＦＰＣＢ）を介して電気的に接続されてもよい。この実施形態によるゲート駆動部２００とデータ駆動部３００は、少なくとも１枚の駆動チップ上に作り込まれることが好ましい。そして、駆動電圧生成部４００と信号制御部５００は、プリント回路基板の上に実装され、可撓性プリント回路基板を介して液晶表示パネル１００と電気的に接続されることが好ましい。
【００１７】
信号制御部５００は、外部のグラフィック制御器（図示せず）からの入力画像信号、すなわち、画素データ（Ｒ、Ｇ、Ｂ）及びこれらの表示を制御する入力制御信号、例えば、垂直同期信号（Ｖｓｙｎｃ）と水平同期信号（Ｈｓｙｎｃ）、メインクロック（ＣＬＫ）、データイネーブル信号（ＤＥ）などを供給する。これらの画素データを液晶表示パネル１００の動作条件に合わせて処理し、ゲート制御信号及びデータ制御信号を生成し、且つ、ゲート制御信号をゲート駆動部２００に送信する。ここで、画素データは、液晶表示パネル１００の画素の配列に応じて並べ替えられる。
【００１８】
そして、ゲート制御信号は、ゲートターンオン電圧（Ｖｏｎ）の出力の開始を指示する垂直同期開始信号、ゲートクロック信号及び出力イネーブル信号などを含む。さらに、ゲート制御信号は、全体のゲート線にゲートターンオン電圧を印加するゲートオープン信号をさらに含む。データ制御信号は、画素データの送信開始を報知する同期開始信号、該当データ線にデータ電圧を印加せよとの指示をするロード信号、共通電圧に対する階調電圧の極性を反転させる反転信号及びデータクロック信号などを含む。
そして、データ制御信号は、ダミーデータ信号を出力するダミー制御信号をさらに含む。
【００１９】
駆動電圧生成部４００は、外部電源装置から入力される外部電源を用いて液晶表示装置の駆動に必要となる種々の駆動電圧を生成する。駆動電圧生成部４００は、基準電圧（ＧＶＤＤ）と、ゲートターンオン電圧（Ｖｏｎ）及びゲートターンオフ電圧（Ｖｏｆｆ）、そして共通電圧を生成する。そして、駆動電圧生成部４００は、信号制御部５００からの制御信号に基づき、ゲートターンオン電圧（Ｖｏｎ）及びゲートオフ電圧（Ｖｏｆｆ）をゲート駆動部２００に印加すると共に、基準電圧（ＧＶＤＤ）をデータ駆動部３００に印加する。ここで、基準電圧（ＧＶＤＤ）は、液晶を駆動させる階調電圧の生成のための基準電圧として用いられる。
【００２０】
ゲート駆動部２００は、外部からの制御信号に基づき、駆動電圧生成部４００のゲートターンオン／ターンオフ電圧（Ｖｏｎ／Ｖｏｆｆ）をゲート線（Ｇ１〜Ｇｎ）に印加する。これにより、各画素に印加さるべき階調電圧が該当画素に印加されるように該当薄膜トランジスタ（Ｔ）を制御することが可能になる。このとき、ゲート駆動部２００は、１画像表示区間（１Ｐ）中に複数のゲート線（Ｇ１〜Ｇｎ）に順次にゲートターンオン電圧（Ｖｏｎ）を印加する。
【００２１】
そして、ゲート駆動部２００は、垂直空白区間（１Ｖ）中に少なくとも１回以上複数のゲート線（Ｇ１〜Ｇｎ）に同時にゲートターンオン電圧（Ｖｏｎ）を印加する。このとき、垂直空白区間（１Ｖ）とは、１画像表示区間（１Ｐ）が終了したタイミングから次回の画像表示区間（１Ｐ）が始まるタイミングとの間の区間を言う。すなわち、図２に示すように、所定の画像を表示するために、最後のゲート線（Ｇｎ）にゲートターンオン電圧（Ｖｏｎ）が印加され、再び最初のゲート線（Ｇ１）にゲートターンオン電圧（Ｖｏｎ）が印加されるまでの期間を言う。
【００２２】
このとき、画像表示区間（１Ｐ）は、１枚の画像フレームが表示可能な時間領域を言う。１画像表示区間（１Ｐ）中に液晶表示パネル１００内の全ての画素キャパシタ（Ｃｌｃ）にデータ信号が供給される。画像表示区間（１Ｐ）は、ゲート線（Ｇ１〜Ｇｎ）の本数と、１本のゲート線にゲートターンオン電圧（Ｖｏｎ）が供給される時間に応じて変わりうる。
すなわち、１本のゲート線にゲートターンオン電圧Ｖｏｎが供給される時間が１Ｈであり、ゲート線（Ｇ１〜Ｇｎ）の本数がｎであるとしたとき、画像表示区間（１Ｐ）は１Ｈ×ｎとなる。そして、複数の画像表示区間（１Ｐ）が連続して１枚の動画像を表示する。本実施形態による液晶表示装置は、１秒につき２４〜１２０個の画像表示区間（１Ｐ）が存在することが好ましい。
【００２３】
ここで、１画像表示区間（１Ｐ）は１フレーム周波数１Ｆに対応し、１画像表示区間（１Ｐ）と１垂直空白区間（１Ｖ）が１フレーム周波数１Ｆに対応する。そして、垂直空白区間（１Ｖ）は、１本のゲート線にゲートターンオン電圧Ｖｏｎが供給される時間１Ｈよりは長く、画像表示区間（１Ｐ）よりは短いことが好ましい（１Ｈ＜１Ｖ＜１Ｐ）。
垂直空白区間（１Ｖ）が前記１Ｈよりも短い場合には、全体のゲート線（Ｇ１〜Ｇｎ）にゲートターンオン電圧（Ｖｏｎ）を同時に供給することが困難になるという問題が発生し、画像表示区間（１Ｐ）よりも長い場合には、円滑な画像表現にならないという問題が発生する。
【００２４】
データ駆動部３００は、信号制御部５００の制御信号と駆動電圧生成部４００の基準電圧（ＧＶＤＤ）を用いて階調電圧（すなわち、データ信号）を生成して、各データ線（Ｄ１〜Ｄｍ）に印加する。すなわち、データ駆動部３００は、入力されたデジタルタイプの画素データを基準電圧（ＧＶＤＤ）を用いてアナログタイプのデータ信号（ＤＳ１〜ＤＳｎ）に変換する。もちろん、データ駆動部３００は、外部からの制御信号に基づき、アナログタイプのダミーデータ信号（ＤＳｄ）を生成する。
【００２５】
データ駆動部３００は、基準電圧（ＧＶＤＤ）を用いて複数の階調電圧を生成し、１画像表示区間（１Ｐ）中に信号制御部５００から印加されるデジタルタイプの画素データを階調電圧を用いてアナログタイプのデータ信号（ＤＳ１〜ＤＳｎ）に変換して該当データ線（Ｄ１〜Ｄｍ）のそれぞれに出力する。
これにより、図２に示すように、第１のゲート線（Ｇ１）には第１のデータ信号（ＤＳ１）が印加され、第２のゲート線（Ｇ２）には第２のデータ信号（ＤＳ２）が印加され、第（ｎ−１）番目のゲート線（Ｇｎ−１）には第（ｎ−１）番目のデータ信号（ＤＳｎ−１）が印加され、そして、第ｎのゲート線（Ｇｎ）には第ｎのデータ信号（ＤＳｎ）が印加される。このとき、データ信号（ＤＳ１〜ＤＳｎ）は、隣り合うゲート線（Ｇ１〜Ｇｎ）毎にその電圧極性が反転されて供給されることが好ましい。すなわち、第１のデータ信号（ＤＳ１）が正の極性を有する信号であるとしたとき、第２のデータ信号（ＤＳ２）は負の極性を有する信号であることが好ましい。
【００２６】
データ駆動部３００は、垂直空白区間（１Ｖ）中に階調電圧を用いて少なくとも１回以上ダミーデータ信号（ＤＳｄ）を生成する。このとき、上記のダミーデータ信号（ＤＳｄ）としては、液晶表示パネル１００内の維持キャパシタ（Ｃｓｔ）の残留電荷を放電させてこれによる残像が防止可能な信号を印加することが好ましい。すなわち、データ駆動部３００は、維持キャパシタ（Ｃｓｔ）の充電を無くすダミーデータ信号（ＤＳｄ）を生成して、垂直空白区間（１Ｖ）中に複数のデータ線（Ｄ１〜Ｄｍ）に供給することが好ましい。
【００２７】
このようなダミーデータ信号（ＤＳｄ）は、ピクセル階調電圧の最大値及び最小値のうちどちらか一方を有することが好ましく、これは、表示パネル内の液晶モードに応じて可変可能である。すなわち、液晶表示パネル１００内の液晶モードがノーマリーホワイトモードである場合には、ノーマリーホワイトに相当するダミーデータ信号（ＤＳｄ）を生成して複数のデータ線（Ｄ１〜Ｄｍ）に印加し、一方、ノーマリーブラックモードである場合には、ノーマリーブラックに相当するダミーデータ信号（ＤＳｄ）を生成して複数のデータ線（Ｄ１〜Ｄｍ）に印加する。
【００２８】
このとき、ダミーデータ信号（ＤＳｄ）に基づき、液晶表示パネル１００はホワイトまたはブラック系の色を表示することになるが、垂直空白区間（１Ｖ）が極めて短いため、使用者はこれを残像として認識できなくなる。このように、ダミーデータ信号（ＤＳｄ）を印加して維持キャパシタ（Ｃｓｔ）に残留する電荷を強制的に放電させ、残像効果を抑えることができる。もちろん、このとき、１つのデータ信号とこれと隣り合う他のデータ信号の信号極性は反転されることが好ましい。
【００２９】
以下、図２の波形図に基づき、この実施形態による表示装置の動作を説明する。
表示装置は、複数の画像表示区間（１Ｐ）と、複数の画像表示区間（１Ｐ）の間に設けられた垂直空白区間（１Ｖ）とを含む。表示装置は、画像表示区間（１Ｐ）中に液晶表示パネル１００を通じて画像を表示し、垂直空白区間（１Ｖ）中に複数の制御信号の同期化を行うことはもちろん、液晶表示パネル１００内の維持キャパシタ（Ｃｓｔ）の残留電荷を放電させる。
【００３０】
画像表示区間（１Ｐ）中に、表示装置のゲート駆動部２００は、複数のゲート線（Ｇ１〜Ｇｎ）にゲートターンオン電圧（Ｖｏｎ）を順次に印加すると共に、データ駆動部３００は、複数のデータ信号（ＤＳ１〜ＤＳｎ）を複数のデータ線（Ｄ１〜Ｄｍ）に供給する。そして、垂直空白区間（１Ｖ）中に、表示装置のゲート駆動部２００は、複数のゲート線（Ｇ１〜Ｇｎ）に同時にゲートターンオン電圧（Ｖｏｎ）を印加すると共に、データ駆動部３００は、ダミーデータ信号（ＤＳｄ）を複数のデータ線（Ｄ１〜Ｄｍ）に供給する。
【００３１】
すなわち、１画像表示区間（１Ｐ）中に、ゲートターンオン電圧（Ｖｏｎ）は、図２に示すように、第１〜第ｎのゲート線（Ｇ１〜Ｇｎ）に順次に印加され、ゲートターンオン電圧（Ｖｏｎ）が印加されたゲート線（Ｇ１〜Ｇｎ）に接続されている複数の薄膜トランジスタ（Ｔ）をターンオンさせる。一方、第１〜第ｎのデータ信号（ＤＳ１〜ＤＳｎ）はデータ線（Ｄ１〜Ｄｍ）に印加され、これにより、ターンオンされた薄膜トランジスタ（Ｔ）に接続されている画素キャパシタ（Ｃｌｃ）及び維持キャパシタ（Ｃｓｔ）に供給される。
【００３２】
これをさらに詳述すると、下記の通りである。
第１のゲート線（Ｇ１）にゲートターンオン電圧（Ｖｏｎ）が印加され、複数のデータ線（Ｄ１〜Ｄｍ）に第１のデータ信号（ＤＳ１）が印加される場合、ゲートターンオン電圧（Ｖｏｎ）により第１のゲート線（Ｇ１）に接続されている複数の薄膜トランジスタ（Ｔ）はターンオンされ、ターンオンされた薄膜トランジスタ（Ｔ）により、ターンオンされた複数の薄膜トランジスタ（Ｔ）とそれぞれ接続されている複数の画素キャパシタ（Ｃｌｃ）及び維持キャパシタ（Ｃｓｔ）に第１のデータ信号（ＤＳ１）が供給される。
【００３３】
続けて、第２〜第ｎのゲート線（Ｇ２〜Ｇｎ）にゲートターンオン電圧（Ｖｏｎ）が順次に印加され、これにより、複数のデータ線（Ｄ１〜Ｄｍ）に第２〜第ｎのデータ信号（ＤＳ２〜ＤＳｎ）が印加され、液晶表示パネル１００内の全ての画素キャパシタ（Ｃｌｃ）と維持キャパシタ（Ｃｓｔ）に第２〜第ｎのデータ信号（ＤＳ２〜ＤＳｎ）が供給される。
【００３４】
これにより、液晶表示パネル１００内の液晶は、画素キャパシタ（Ｃｌｃ）に印加されたデータ信号（ＤＳ１〜ＤＳｎ）によりその配列が変わり、結果として、これを透過する光の量を調節して画像を表示することになる。ここで、１本のゲート線にゲートターンオン電圧（Ｖｏｎ）が印加される場合、残りの全てのゲート線（Ｇ１〜Ｇｎ）にはゲートターンオフ電圧（Ｖｏｆｆ）が印加される。そして、第１〜第ｎのデータ信号（ＤＳ１〜ＤＳｎ）は、奇数番目と偶数番目の電圧極性が異なることが好ましい。すなわち、液晶表示パネル１００は、ライン反転を行う。ゲートターンオン電圧（Ｖｏｎ）は、信号制御部５００のゲートクロック信号に基づき、第１〜第ｎのゲート線（Ｇ１〜Ｇｎ）に供給されることが好ましい。ゲートターンオン電圧（Ｖｏｎ）は、１Ｈ中に供給されることが好ましい。
【００３５】
そして、垂直空白区間（１Ｖ）中に、ゲートターンオン電圧（Ｖｏｎ）は、図２に示すように、第１〜第ｎのゲート線（Ｇ１〜Ｇｎ）に同時に印加され、液晶表示パネル１００内の全ての薄膜トランジスタ（Ｔ）をターンオンさせる。このとき、ダミーデータ信号（ＤＳｄ）はデータ線（Ｄ１〜Ｄｍ）に印加され、ターンオンされた薄膜トランジスタ（Ｔ）により液晶表示パネル１００内の全ての画素キャパシタ（Ｃｌｃ）と維持キャパシタ（Ｃｓｔ）に供給される。これにより、液晶表示パネル１００内の維持キャパシタ（Ｃｓｔ）内の残留電荷をいずれも放電させることが可能になり、その結果、残留電荷による残像発生を防ぐことができる。上記のダミーデータ信号（ＤＳｄ）としては、液晶モードに応じて、ノーマリーホワイトに相当する信号またはノーマリーブラックに相当する信号が使用できる。すなわち、ダミーデータ信号（ＤＳｄ）として、配列の変わった液晶が初期の位置に戻れるような信号を使用することが好ましい。
【００３６】
ゲートターンオン電圧（Ｖｏｎ）とダミーデータ信号（ＤＳｄ）は、垂直空白区間（１Ｖ）が始まるタイミングで供給されてもよく、垂直空白区間（１Ｖ）中に供給されてもよい。そして、ゲートターンオン電圧（Ｖｏｎ）の供給周期は、１Ｈであることが好ましい。もちろん、ダミーデータ信号（ＤＳｄ）を画素キャパシタ（Ｃｌｓ）と維持キャパシタ（Ｃｓｔ）に十分に供給するために、１Ｈよりも広い周期を有してもよい。
【００３７】
ここで、液晶表示パネル１００がライン反転を行うので、垂直空白区間（１Ｖ）中に供給されるダミーデータ信号（ＤＳｄ）は、ゲート線（Ｇ１〜Ｇｎ）の本数に応じて可変できる。
すなわち、図３に示すように、ゲート線（Ｇ１〜Ｇ２ｎ−１）の本数が奇数である場合には、１回に亘ってゲートターンオン電圧（Ｖｏｎ）とダミーデータ信号（ＤＳｄ）を印加する。もちろん、奇数のゲートターンオン電圧（Ｖｏｎ）とダミーデータ信号（ＤＳｄ）を供給することができる。
これに対し、図４に示すように、ゲート線（Ｇ１〜Ｇ２ｎ）の本数が偶数である場合には、２回に亘ってゲートターンオン電圧（Ｖｏｎ）とダミーデータ信号（ＤＳｄ）を印加する。もちろん、偶数のゲートターンオン電圧（Ｖｏｎ）とダミーデータ信号（ＤＳｄ）を供給することができる。
【００３８】
これは、１画像表示区間（１Ｐ）の最後に印加されるデータ信号（ＤＳｎ）の極性に応じて変わる。すなわち、図３に示すように、ゲート線（Ｇ１〜Ｇ２ｎ−１）の本数が奇数である場合には、最後のゲート線（Ｇ２ｎ−１）を介して印加される最後のデータ信号（ＤＳ２ｎ−１）の極性は正の極性となる。このため、最後に維持キャパシタ（Ｃｓｔ）に充電される信号も正の極性を帯びることになる。そこで、維持キャパシタ（Ｃｓｔ）にその内部が空きになった負の極性を持たせるには、負の極性を有するダミーデータ信号（ＤＳｄ）を１回のみ印加すれば良い。
【００３９】
一方、図４に示すように、ゲート線（Ｇ１〜Ｇ２ｎ）の本数が偶数である場合には、最後のゲート線（Ｇ２ｎ）を介して印加される最後のデータ信号（ＤＳ２ｎ）は、負の極性となる。このため、最後に維持キャパシタ（Ｃｓｔ）に充電される信号も負の極性を帯びることになる。そこで、維持キャパシタ（Ｃｓｔ）にその内部が空きになった負の極性を持たせるには、先ず、正の極性を有する第１のダミーデータ信号（ＤＳｄ−１）を印加し、再び負の極性を有する第２のダミーデータ信号（ＤＳｄ−２）を印加する必要がある。
【００４０】
上述のように、垂直空白区間（１Ｖ）中に維持キャパシタ（Ｃｓｔ）内の電荷をいずれも放電させることにより、残像発生を防ぐことができる。そして、維持キャパシタ（Ｃｓｔ）内の電荷をいずれも放電させて、次回の画像表示区間（１Ｐ）中に印加される第１〜第ｎのデータ信号（ＤＳ１〜ＤＳｎ）への影響を排除してもよい。本発明は上述の説明に限定されるものではなく、ゲート線毎に画像表示区間と垂直空白区間が異なる場合もある。
【００４１】
もちろん、本発明は上述の説明に限定されるものではなく、ゲート駆動部として複数のステージを用いる場合、全てのゲート線に同時にゲートターンオン電圧を供給するための論理ゲート部をさらに含みうる。以下、本発明の第２の実施形態による液晶表示装置について説明する。後述する説明のうち、上述の説明と重複する説明は省略する。後述する説明の技術は、上述の第１の実施形態に適用される。
【００４２】
図５は、本発明の第２の実施形態による液晶表示装置の液晶表示パネル、データ駆動部、及びゲート駆動部を示すブロック図であり、図６は、第２の実施形態による液晶表示装置の動作を説明するための波形図である。
【００４３】
図５及び図６を参照すると、本実施形態による表示装置は、複数のゲート線（Ｇ１〜Ｇｎ）と、複数のデータ線（Ｄ１〜Ｄｍ）と、薄膜トランジスタ（Ｔ）と、画素キャパシタ（Ｃｌｃ）及び維持キャパシタ（Ｃｓｔ）を有する液晶表示パネル１００と、複数のゲート線（Ｇ１〜Ｇｎ）に接続されている複数のステージ（２１０−１〜２１０−ｎ）及び放電制御部２２０を有するゲート駆動部２００と、データ線（Ｄ１〜Ｄｍ）に接続されているデータ駆動部３００と、これらの動作を制御する信号制御部（図示せず）とを備える。
【００４４】
ゲート駆動部２００は、液晶表示パネル１００の薄膜トランジスタ基板の一方の周縁領域に設けられる。すなわち、液晶表示パネル１００の薄膜トランジスタ基板の製作の際にゲート駆動部２００も一緒に製作されることが好ましい。
【００４５】
ゲート駆動部２００は、ゲート線（Ｇ１〜Ｇｎ）に対応する数のステージ（２１０−１〜２１０−ｎ）を備え、放電制御部２２０は、ゲート線（Ｇ１〜Ｇｎ）に対応する数の論理ゲート（２２０−１〜２２０−ｎ）を備える。すなわち、例えば１本のゲート線（Ｇｉ）（ｉ＜ｎ）には１つのステージ（２１０−ｉ）と１つの論理ゲート（２２０−ｉ）が接続される。このとき、ステージ（２１０−１〜２１０−ｎ）は、垂直同期開始信号（ＳＴＶ）又は前段ステージの出力により動作し、クロック信号（ＣＬＫ）又は反転されたクロック信号（ＣＬＫＢ）を用いてゲートターンオン電圧（Ｖｏｎ）又はゲートターンオフ電圧（Ｖｏｆｆ）を放電制御部２２０内の論理ゲート（２２０−１〜２２０−ｎ）に供給する。
【００４６】
論理ゲート（２２０−１〜２２０−ｎ）は、外部からのゲート電圧制御信号（Ｓａｇ）により動作し、ステージ（２１０−１〜２１０−ｎ）からのゲートターンオン電圧（Ｖｏｎ）又はゲートターンオフ電圧（Ｖｏｆｆ）をゲート線（Ｇ１〜Ｇｎ）に供給したり、ゲートターンオフ電圧（Ｖｏｆｆ）のレベルを変更してゲートターンオン電圧（Ｖｏｎ）をゲート線（Ｇ１〜Ｇｎ）に供給する。
このために、放電制御部２２０内の論理ゲート（２２０−１〜２２０−ｎ）としては、図５に示すように、ＯＲゲートを使用することが好ましい。又は、ＥＸＯＲゲートを用いて、ＯＲゲートを用いる場合と同様に、ゲートターンオン電圧（Ｖｏｎ）をゲート線（Ｇ１〜Ｇｎ）に同時に印加することもできる。
【００４７】
もちろん、放電制御部２２０内の論理ゲート（２２０−１〜２２０−ｎ）はこれに限定されるものではなく、論理ゲート（２２０−１〜２２０−ｎ）として、外部からのゲート電圧制御信号（Ｓａｇ）に基づいて駆動して別のゲートターンオン電圧を供給するトランジスタなどの複数のスイッチング素子を用いることができる。ここで、外部からのゲート電圧制御信号（Ｓａｇ）は、画像表示区間（１Ｐ）中には論理“ロウ”の状態を維持し、垂直空白区間（１Ｖ）中には所定の時間だけ論理“ハイ”の状態を維持する。
【００４８】
以下、図５、６に基づき、以上のゲート駆動部を有する表示装置の動作を説明する。
先ず、画像表示区間（１Ｐ）が始まる直前に、垂直同期開始信号（ＳＴＶ）が印加される。これにより、画像表示区間（１Ｐ）の開始と同時に、第１のステージ（２１０−１）が動作する。これにより、第１のステージ（２１０−１）はゲートターンオン電圧（Ｖｏｎ）を出力し、第１の論理ゲート（２２０−１）を介して第１のゲート線（Ｇ１）にゲートターンオン電圧（Ｖｏｎ）を供給する。これにより、第１のゲート線（Ｇ１）に接続されている複数の薄膜トランジスタ（Ｔ）がターンオンされ、複数のデータ線（Ｄ１〜Ｄｍ）に印加された第１のデータ信号（ＤＳ１）が画素キャパシタ（Ｃｌｃ）と維持キャパシタ（Ｃｓｔ）に供給される。
【００４９】
この後、第２〜第ｎのステージ（２１０−２〜２１０−ｎ）は、前段の第１〜第ｎ−１のステージ（２１０−１〜２１０−ｎ−１）の出力に応じて動作して順次にゲートターンオン電圧（Ｖｏｎ）を出力し、第２〜第ｎのステージ（２１０−２〜２１０−ｎ）に接続されている第２〜第ｎの論理ゲート（２２０−２〜２２０−ｎ）により第２〜第ｎのゲート線（Ｇ２〜Ｇｎ）に順次にゲートターンオン電圧（Ｖｏｎ）を供給する。
【００５０】
上述のように、第１〜第ｎのステージ（２１０−１〜２１０−ｎ）に接続されている第１〜第ｎの論理ゲート（２２０−１〜２２０−ｎ）に論理“ロウ”の信号が印加されるため、画像表示区間（１Ｐ）中には第１〜第ｎのステージ（２１０−１〜２１０−ｎ）の出力が、第１〜第ｎの論理ゲート（２２０−１〜２２０−ｎ）の出力となる。ここで、ステージ（２１０−１〜２１０−ｎ）は、後段ステージの出力によりその動作が止まる。このために、最後の第ｎのステージ（２１０−ｎ）の後段には、別のダミーステージ（図示せず）を設けることもできる。そして、動作の止まったステージは、論理“ロウ”の状態のゲートターンオフ電圧（Ｖｏｆｆ）を出力することが好ましい。
【００５１】
続けて、垂直空白区間（Ｖ１）が始まると、上述のように、外部からのゲート電圧制御信号（Ｓａｇ）が論理“ハイ”となる。これにより、第１〜第ｎの論理ゲート（２２０−１〜２２０−ｎ）の出力は、論理“ハイ”の状態のゲートターンオン電圧（Ｖｏｎ）となる。このため、第１〜第ｎの論理ゲート（２２０−１〜２２０−ｎ）に接続されている第１〜第ｎのゲート線（Ｇ１〜Ｇｎ）に同時にゲートターンオン電圧（Ｖｏｎ）を印加することにより、液晶表示パネル１００内の全ての薄膜トランジスタ（Ｔ）がターンオンされる。これにより、液晶表示パネル１００内の全ての画素キャパシタ（Ｃｌｃ）と維持キャパシタ（Ｃｓｔ）にダミーデータ信号（ＤＳｄ）を供給して、維持キャパシタ（Ｃｓｔ）の残留電荷を除去することができる。
【００５２】
尚、本発明は、上述の実施形態に限られるものではない。本発明の技術的範囲から逸脱しない範囲内で多様に変更実施することが可能である。
【図面の簡単な説明】
【００５３】
【図１】本発明の第１の実施形態による液晶表示装置のブロック概念図である。
【図２】第１の実施形態による液晶表示装置の動作を説明するための信号波形図である。
【図３】第１の実施形態による液晶表示装置のゲート線の本数が奇数の場合による動作を説明するための信号波形図である。
【図４】第１の実施形態による液晶表示装置のゲート線の本数が偶数の場合による動作を説明するための信号波形図である。
【図５】本発明の第２の実施形態による液晶表示装置の液晶表示パネル、データ駆動部、及びゲート駆動部を示すブロック図である。
【図６】第２の実施形態による液晶表示装置の動作を説明するための波形図である。
【符号の説明】
【００５４】
１００      液晶表示パネル
２００      ゲート駆動部
２１０（２１０−１〜２１０−ｎ）    ステージ
２２０      放電制御部
２２０−１〜２２０−ｎ    論理ゲート
３００      データ駆動部
４００      駆動電圧生成部
５００      信号制御部
【図１】
2008152227.tif 000003
【図２】
2008152227.tif 000004
【図３】
2008152227.tif 000005
【図４】
2008152227.tif 000006
【図５】
2008152227.tif 000007
【図６】
2008152227.tif 000008